(57)【要約】【課題】管内に複数本のケーブルを敷設することができる下水道管を提供する。【解決手段】下水道管１０の管内断面が、一枚の水平方向の仕切り板１３と、水平方向の仕切り板１３から上方に延設された複数枚の垂直方向の仕切り板１４とによって、下水２１が流れる１個の下部区画１５と、光ファイバーケーブル２４が敷設される４個の上部区画１６とに仕切られている。【選択図】図１
2007204951.tif 000002
【特許請求の範囲】
【請求項１】
管内断面が、下水が流れる区画と、それぞれにケーブルが敷設される複数の区画とに仕切られていることを特徴とする下水道管。
【請求項２】
管は多層管であり、外層が鋼管で、内層が合成樹脂管であることを特徴とする請求項１に記載の下水道管。
【請求項３】
内層の合成樹脂管の管内にケーブルが敷設される複数の区画が設けられていることを特徴とする請求項２に記載の下水道管。
【請求項４】
合成樹脂管は塩化ビニール管であることを特徴とする請求項２または３に記載の下水道管。
【発明の詳細な説明】
【技術分野】
【０００１】
本発明は、光ファイバーケーブル等のケーブルを敷設する構造を有する下水道管に関するものである。
【背景技術】
【０００２】
従来、下水道管路が独自のネットワークで構築されている点や下水道管は一般的に下水流水断面積に対して管断面積が大きい点に注目し、下水道管内に光ファイバーケーブルを敷設することにより、通信ネットワークを構築することが提案されている。
【０００３】
このような光ファイバー対応型の下水道管として、例えば、図３に示すように、管内の底部に下水２１が流れる下水道管２０の内周面の頂部に、複数のブラケット２２が管軸方向に適当な間隔をあけて設けられており、それらブラケット２２によってケーブル鞘管２３を支持し、このケーブル鞘管２３内に光ファイバーケーブル等のケーブル２４を挿通する構造のものが開示されている（例えば、特許文献１参照。）。
【特許文献１】特開２００３−００９３２８号公報
【発明の開示】
【発明が解決しようとする課題】
【０００４】
ところで、特許文献１等においては、ケーブル鞘管の断面積の制約等によって、ケーブル鞘管内にケーブルを１本だけ挿通するようにしている。そのため、下水道管内に複数本のケーブルを敷設することができないという問題があった。
【０００５】
本発明は、上記のような事情に鑑みてなされたものであり、管内に複数本のケーブルを敷設することができる下水道管を提供することを目的とするものである。
【課題を解決するための手段】
【０００６】
上記課題を解決するために、本発明は以下の特徴を有する。
【０００７】
［１］管内断面が、下水が流れる区画と、それぞれにケーブルが敷設される複数の区画とに仕切られていることを特徴とする下水道管。
【０００８】
［２］管は多層管であり、外層が鋼管で、内層が合成樹脂管であることを特徴とする前記［１］に記載の下水道管。
【０００９】
［３］内層の合成樹脂管の管内にケーブルが敷設される複数の区画が設けられていることを特徴とする前記［２］に記載の下水道管。
【００１０】
［４］合成樹脂管は塩化ビニール管であることを特徴とする前記［２］または［３］に記載の下水道管。
【発明の効果】
【００１１】
本発明においては、下水道管の管内断面を仕切ることによって、光フィアバケーブル等のケーブルが敷設される区画を複数個備えるようにしているので、それぞれの区画にケーブルを敷設することで、下水道管内に複数本のケーブルを敷設することができる。
【発明を実施するための最良の形態】
【００１２】
図１は、本発明の一実施形態に係る下水道管の断面図である。
【００１３】
図１に示すように、この実施形態に係る下水道管１は、外層の鋼管１１と内層の合成樹脂管（例えば、塩化ビニール管）１２の多層管になっているとともに、合成樹脂管１２の管内断面が、一枚の水平方向の仕切り板１３と、水平方向の仕切り板１３から上方に延設された複数枚（ここでは３枚）の垂直方向の仕切り板１４とによって、１個の下部区画１５と、複数個（ここでは４個）の上部区画１６とに仕切られている。
【００１４】
そして、下部区画１５には下水２１が流れ、複数個の上部区画１６にはそれぞれ光ファイバーケーブル２４が敷設されるようになっている。
【００１５】
なお、上記のようなこの実施形態に係る下水道管１を製造する際には、例えば、以下のような方法で行なう。すなわち、合成樹脂管１２として、熱を加えると膨張する性質が予め与えられた塩化ビニール管を用い、水平方向の仕切り板１３と垂直方向の仕切り板１４を一体にして押出加工によって成形する。そして、鋼管１１の内面と合成樹脂管１２の外面にそれぞれ接着剤を塗布し、鋼管１１の内部に合成樹脂管１２を挿入した後、加熱する。これによって、合成樹脂管１２が膨張して、鋼管１１の内面に合成樹脂管１２が接合する。その後、管端の精整と寸法等の検査を行なう。
【００１６】
このようにして、この実施形態に係る下水道管１においては、下水道管１の管内断面を水平方向の仕切り板１３と垂直方向の仕切り板１４で仕切ることによって、光ファイバーケーブル２４が敷設される上部区画１６を複数個備えるようにしているので、それぞれの上部区画１６に光ファイバーケーブル２４を敷設することで、下水道管１内に複数本の光ファイバーケーブル２４を敷設することができる。
【００１７】
図２は、本発明の他の実施形態に係る下水道管の断面図である。
【００１８】
図２に示すように、この実施形態に係る下水道管２は、外層の鋼管１１と内層の合成樹脂管（例えば、塩化ビニール管）１７の多層管になっているとともに、合成樹脂管１７が外側の管（外管）１７ａと内側の管（内管）１７ｂの二重管になっている。すなわち、外管１７ａが鋼管１１の内面に接合され、外管１７ａと内管１７ｂとが所定の間隔を置いて複数（ここでは、１０枚）の連結板１７ｃで連結されている。これによって、管内断面が、内管１７ｂの内部となる１個の中央区画１８と、外管１７ａと内管１７ｂと連結板（兼、仕切り板）１７ｃで囲まれた複数個（ここでは１０個）の環状区画１９とに仕切られている。
【００１９】
そして、中央区画１８には下水２１が流れ、複数個の環状区画１９にはそれぞれ光ファイバーケーブル２４が敷設されるようになっている。
【００２０】
なお、この実施形態に係る下水道管２を製造する際には、前述の実施形態に係る下水道管１を製造する場合と同様の方法で行なえばよい。
【００２１】
このようにして、この実施形態に係る下水道管２においては、管内断面を仕切ることによって、光ファイバーケーブル２４が敷設される環状区画１９を複数個備えるようにしているので、それぞれの環状区画１９に光ファイバーケーブル２４を敷設することで、下水道管２内に複数本の光ファイバーケーブル２４を敷設することができる。
【００２２】
なお、本発明の実施形態に係る下水道管１、２に敷設するケーブルは、光ファイバーケーブルに限定されるものではなく、例えば電線ケーブル等の他のケーブルであってもよい。
【図面の簡単な説明】
【００２３】
【図１】本発明の一実施形態に係る下水道管の断面図である。
【図２】本発明の他の実施形態に係る下水道管の断面図である。
【図３】従来技術の説明図である。
【符号の説明】
【００２４】
１  下水道管
２  下水道管
１１  鋼管
１２  合成樹脂管
１３  水平方向の仕切り板
１４  垂直方向の仕切り板
１５  下部区画
１６  上部区画
１７  合成樹脂管
１７ａ  外管
１７ｂ  内管
１７ｃ  連結板
１８  中央区画
１９  環状区画
２０  下水道管
２１  下水
２２  ブラケット
２３  ケーブル鞘管
２４  ケーブル（光ファイバーケーブル等）
【図１】
2007204951.tif 000003
【図２】
2007204951.tif 000004
【図３】
2007204951.tif 000005